(57)【要約】【課題】  印刷パターンの再現性を高め印刷精度を向上させる。【解決手段】  ブランケットロール２４の回転軸２４ａ，２４ｂを保持する左右の各ベアリングハウジング２８を、左右方向に延びる下端側の開放されたトラフ形状として高い縦剛性を有する連結部材３０で連結して、ロールユニット２７を形成する。架台１７上に設置したガイドレール１８を跨ぐ門型のフレーム２６に、ロールユニット２７をリニアガイド３４を介し上下移動可能に取り付け、ロールユニット２７の左右方向の２個所と、その上方のフレーム２６上部をジャッキ３５を介装して連結する。ジャッキ３５によりロールユニット２７ごと下降させるブランケットロール２４を、版テーブル２１上の版１９や印刷対象テーブル２２上の印刷対象２０に所要の接触圧力で接触させる際に、各ベアリングハウジング２８のロール軸方向からの傾きを抑えてブランケットロール２４の撓み変形を防止させる。【選択図】図２
2011056723.tif 000002
【特許請求の範囲】
【請求項１】
印刷用ロールの両端部の回転軸を回転可能に保持する左右一対のベアリングハウジングを、連結部材で一体に連結してロールユニットを形成し、該ロールユニットを支持フレームに昇降用駆動機構を介し取り付け、且つ該昇降用駆動機構により上記ロールユニットを、上記印刷用ロールがその下方に配置される接触対象物に接する状態から下方へ付勢して、該印刷用ロールを上記接触対象物に所要の接触圧力で接触させる構成を有することを特徴とする印刷装置の印刷用ロール加圧装置。
【請求項２】
印刷用ロールの両端部の回転軸を回転可能に保持する左右一対のベアリングハウジングを一体に連結する連結部材を、左右方向に延びる下端側の開放されたトラフ形状の連結部材とした請求項１記載の印刷装置の印刷用ロール加圧装置。
【請求項３】
印刷用ロールの両端部の回転軸を回転可能に保持する一対のベアリングハウジングを一体に連結する連結部材を、上記各ベアリングハウジングの前面と後面にそれぞれ沿う位置で左右方向に延び且つ上下方向に所要の高さ寸法を備えて縦方向の剛性の高い前後一対の板状の連結部材とした請求項１記載の印刷装置の印刷用ロール加圧装置。
【請求項４】
印刷用ロールの両端部の回転軸を回転可能に保持する一対のベアリングハウジングを一体に連結する連結部材を、上記各ベアリングハウジングの前面と後面のいずれか片方の面に沿う位置で左右方向に延び且つ上下方向に所要の高さ寸法を備えて縦方向の剛性の高い板状の連結部材とした請求項１記載の印刷装置の印刷用ロール加圧装置。
【請求項５】
ロールユニットにおける左右方向所要間隔の２個所を、支持フレームの対応する個所に、個別の昇降用駆動機構を介して取り付けるようにした請求項１、２、３又は４記載の印刷装置の印刷用ロール加圧装置。
【発明の詳細な説明】
【技術分野】
【０００１】
本発明は、印刷装置における版胴、圧胴、ブランケットロール等の印刷用ロールを、所要の接触対象物に、上方から所要の接触圧力（印圧）で押し付けて接触させるための印刷装置の印刷用ロール加圧装置に関するものである。
【背景技術】
【０００２】
印刷技術の１つとしてオフセット印刷があり、このうち、凹版を用いたオフセット印刷は、インキングされた凹版より転動するブランケットロールへインクを一旦転写（受理）した後、該ブランケットロールより印刷対象へインクの再転写（印刷）を行うことで、該印刷対象の表面に、上記凹版の印刷パターンを再現性よく印刷することができる手法として知られている。
【０００３】
図８は従来提案されている平板状の版を用いたオフセット印刷装置の一例を示すもので、ベース１上に、サーボモータ（ステージモータ）３により駆動されるボールねじ機構（ボールスクリュー）２を一軸方向に延びるよう設け、上記ベース１上における上記ボールねじ機構２の上方位置に、平板状の版（凹版）５を保持する版定盤６及び印刷対象としてのワーク７を保持するワーク定盤８を上記一軸方向に配列して設置してなる移動テーブル（ステージ）４を、ガイドレール９に沿って一軸方向に移動可能に設けると共に、該移動テーブル４を、上記ボールねじ機構２で往復動させることができるようにしてある。
【０００４】
更に、上記移動テーブル４の所要寸法上方位置に、ブランケットロール（ブランケット胴）１０を、移動テーブル４の移動方向に直角且つ水平な方向に延びるように配置して、その両端の各回転軸１１を、ブラケット１２を介してロール加圧を行うための昇降機構を備えた定圧装置１３により個別に支持させた構成としてある。
【０００５】
１４は上記ブランケットロール１０の回転駆動用モータであり、該ブランケットロール１０の片方の回転軸１１に減速機１５介して接続してある。１６は上記版定盤６上に保持させた版５にインキングするためのインキング装置（ドクタ装置）である。
【０００６】
かかる構成としてあるオフセット印刷装置によれば、上記ボールねじ機構２による移動テーブル４の移動により版定盤６上に保持した版５をインキング装置１６へ導いて該版５に対するインキングを行わせ、次いで、上記ボールねじ機構２による移動テーブル４の移動に伴って、上記版定盤６上の版５と、ワーク定盤８上に保持したワーク７を、上記ブランケットロール１０の下方位置を順次通過させるときに、上記回転駆動用モータ１４により回転駆動させた上記ブランケットロール１０を、上記版５とワーク７に所要の接触圧力（印圧）となるよう加圧しながら上方より順に接触させることで、上記インキングされた版５からブランケットロール１０へ印刷パターンの転写（受理）処理を行わせた後、該ブランケットロール１０より上記ワーク７へ印刷パターンの再転写（印刷）処理を行わせることで、オフセット印刷を実施できるようにしてある（たとえば、特許文献１参照）。
【０００７】
又、平板状の版を用いたオフセット印刷装置の別の例としては、たとえば、上記図８と同様の構成において、ブランケットロール１０を昇降させる構成に代えて、ブランケットロールを門型のフレームに高さ位置を固定した状態で支持させ、且つ移動テーブルを、版とワークを交互に保持させる形式とすると共に、該移動テーブル側に、楔機構による昇降機構を設けてなる構成とすることで、該昇降機構により移動テーブル上に保持した版やワークを、上記ブランケットロールに対して下方より押し付けることで所要の接触圧力（印圧）を発生させることができるようにして、装置構成の簡略化を図ると共に剛性を確保できるようにする考えも従来提案されている（たとえば、特許文献１参照）。
【０００８】
ところで、近年、液晶ディスプレイ等の電子回路をガラス基板や樹脂製の基板等の所要の基板上に形成するための手法の一つとして、金属蒸着膜のエッチング等による微細加工に代えて、導電性ペーストを印刷インクとして用いた印刷技術、たとえば、凹版オフセット印刷技術を用いて基板上に電子回路を印刷して形成する手法が提案されてきている。
【０００９】
上記液晶ディスプレイ等の電子回路を基板に形成する場合は、電極となる線幅として、たとえば、１０μｍ程度と微細なものが要求されることがある。更に、基板上に複数の電子回路を重ね合わせて形成することがあり、この場合は版を代えて電子回路の重ね刷りを行うことになるが、印刷位置がずれると電子回路の全体構成が崩れてしまうことから、精度は対象によって多少異なるが、上記線幅を１０μｍ程度とするような精密な電子回路の場合には、重ね合わせる電子回路同士の印刷位置の位置ずれを数μｍからサブμｍオーダーに抑えることが必要とされることもある。
【００１０】
そのため、上記基板上に電子回路を印刷により形成する場合は、紙等に文字や画像を印刷する通常のオフセット印刷に比して高い印刷精度が要求される。
【先行技術文献】
【特許文献】
【００１１】
【特許文献１】特許第３４５９７８１号公報
【発明の概要】
【発明が解決しようとする課題】
【００１２】
ところが、オフセット印刷装置においては、転写（受理）処理時は、ブランケットロールを所要の接触圧力（印圧）となるよう加圧した状態で版に押し付けて接触させるようにすると共に、再転写（印刷）処理時は、上記ブランケットロールを所要の接触圧力（印圧）となるよう加圧した状態でワーク等の印刷対象に押し付けて接触させるようにしてあるが、上記基板上に精密な電子回路を印刷により形成する場合のように精密な印刷を行う場合には、上記ブランケットロールを版や印刷対象に接触させるときの接触圧力（印圧）として、数トンに達する大きな圧力が必要とされることがある。
【００１３】
しかし、従来提案されている上記図８に示したオフセット印刷装置では、ブランケットロール１０の両端の各回転軸１１を、ブラケット１２を介して個別の定圧装置１３によって支持した構成としてあるため、上下方向の荷重に対する剛性としては、ブランケットロール１０自体とその両端の各回転軸１１や、該各回転軸１１を保持した各ブラケット１２のサイズに依存した剛性しか持ち得ない。そのために、上記ブランケットロール１０を版５や印刷対象としてのワーク７に接触させるときに大きな接触圧力を作用させるようとすると、ロール加圧時に上記ブランケットロール１０の各回転軸１１を保持する各ブラケット１２にロール軸方向からの傾きが生じ、ブランケットロール１０自体やその回転軸１１に撓みが生じる虞があり、このようなブランケットロール１０の撓み変形に起因して、版５からブランケットロール１０を介して印刷対象としてのワーク７へ印刷される印刷パターンの形、大きさ、位置等の幾何学的な再現性が低下してしまい、印刷精度が悪化する虞が懸念される。
【００１４】
なお、上記特許文献１に示された、ブランケットロールを門型のフレームに高さ位置を固定した状態で支持させ、且つ移動テーブル側に楔機構による昇降機構を設けてなる構成としたオフセット印刷装置では、ブランケットロールが位置固定式としてあるため該ブランケットロールの両端の回転軸の支持を強固に行うことができると考えられるが、この場合、移動テーブルの移動をガイドするガイドレールの製作精度等に起因して、版や印刷対象を保持した状態でブランケットロールの下方を移動させる移動テーブルにローリング（移動方向に沿う方向の軸を中心にした揺動）によるずれが生じた場合は、何ら対応することができないという問題があり、そのために、上記移動テーブルのローリングずれに起因して、ブランケットロールと版や印刷対象とを接触させるときに、接触部分における接触圧力のロール軸方向の圧力分布に偏りが生じることで、印刷精度が悪化する虞が懸念される。
【００１５】
そこで、本発明は、印刷装置にて、ブランケットロール等の印刷用ロールを、版や印刷対象等の所要の接触対象物に上方より接触させた状態で加圧して、該接触対象物に所要の接触圧力（印圧）で接触させることができると共に、大きな接触圧力を作用させる際にも、上記印刷用ロールの撓み変形を抑制することができて、印刷パターンの幾何学的な再現性を高めることができ、更には、上記印刷用ロールの直下を移動する接触対象物にローリングずれが生じていても、該接触対象物に接触させる印刷用ロールの接触圧力のロール軸方向の圧力分布を均等化することができ、よって、従来に比してより高精度な印刷を行うことができる印刷装置の印刷用ロール加圧装置を提供しようとするものである。
【課題を解決するための手段】
【００１６】
本発明は、上記課題を解決するために、請求項１に対応して、印刷用ロールの両端部の回転軸を回転可能に保持する左右一対のベアリングハウジングを、連結部材で一体に連結してロールユニットを形成し、該ロールユニットを支持フレームに昇降用駆動機構を介し取り付け、且つ該昇降用駆動機構により上記ロールユニットを、上記印刷用ロールがその下方に配置される接触対象物に接する状態から下方へ付勢して、該印刷用ロールを上記接触対象物に所要の接触圧力で接触させる構成とする。
【００１７】
又、上記構成において、印刷用ロールの両端部の回転軸を回転可能に保持する左右一対のベアリングハウジングを一体に連結する連結部材を、左右方向に延びる下端側の開放されたトラフ形状の連結部材とした構成とする。
【００１８】
同様に、上記構成において、印刷用ロールの両端部の回転軸を回転可能に保持する一対のベアリングハウジングを一体に連結する連結部材を、上記各ベアリングハウジングの前面と後面にそれぞれ沿う位置で左右方向に延び且つ上下方向に所要の高さ寸法を備えて縦方向の剛性の高い前後一対の板状の連結部材とした構成とする。
【００１９】
同様に、上記構成において、印刷用ロールの両端部の回転軸を回転可能に保持する一対のベアリングハウジングを一体に連結する連結部材を、上記各ベアリングハウジングの前面と後面のいずれか片方の面に沿う位置で左右方向に延び且つ上下方向に所要の高さ寸法を備えて縦方向の剛性の高い板状の連結部材とした構成とする。
【００２０】
上述の各構成において、ロールユニットにおける左右方向所要間隔の２個所を、支持フレームの対応する個所に、個別の昇降用駆動機構を介して取り付けるようにした構成とする。
【発明の効果】
【００２１】
本発明の印刷装置の印刷用ロール加圧装置によれば、以下のような優れた効果を発揮する。  
（１）印刷用ロールの両端部の回転軸を回転可能に保持する左右一対のベアリングハウジングを、連結部材で一体に連結してロールユニットを形成し、該ロールユニットを支持フレームに昇降用駆動機構を介し取り付け、且つ該昇降用駆動機構により上記ロールユニットを、上記印刷用ロールがその下方に配置される接触対象物に接する状態から下方へ付勢して、該印刷用ロールを上記接触対象物に所要の接触圧力で接触させる構成としてあるので、昇降用駆動機構の作動により下降させるロールユニットの印刷用ロールをその下方に配置される接触対象物に接触させるときに、作用させる接触圧力が大きくても、印刷用ロールの回転軸を保持するベアリングハウジングのロール軸方向からの傾きを未然に防止できるため、上記印刷用ロールの撓み変形を抑制でき、よって印刷パターンの幾何学的な再現性を高めることができて、従来に比して印刷精度を高めることができる。  
（２）印刷用ロールの両端部の回転軸を回転可能に保持する左右一対のベアリングハウジングを一体に連結する連結部材を、左右方向に延びる下端側の開放されたトラフ形状の連結部材とした構成とすることにより、ブランケットロールの前後左右と上側を一体の箱構造体で囲ってなる縦剛性の高いロールユニットを容易に実現することができる。  
（３）印刷用ロールの両端部の回転軸を回転可能に保持する一対のベアリングハウジングを一体に連結する連結部材を、上記各ベアリングハウジングの前面と後面にそれぞれ沿う位置で左右方向に延び且つ上下方向に所要の高さ寸法を備えて縦方向の剛性の高い前後一対の板状の連結部材とした構成とすることにより、ブランケットロールの前後左右を平面形状略ロの字形の一体の構造体で囲ってなる縦剛性の高いロールユニットを容易に実現することができる。  
（４）印刷用ロールの両端部の回転軸を回転可能に保持する一対のベアリングハウジングを一体に連結する連結部材を、上記各ベアリングハウジングの前面と後面のいずれか片方の面に沿う位置で左右方向に延び且つ上下方向に所要の高さ寸法を備えて縦方向の剛性の高い板状の連結部材とした構成とすることにより、ブランケットロールの左右と前後方向の片側を平面形状門形の一体の構造体で囲ってなる縦剛性の高いロールユニットを容易に実現することができる。  
（５）ロールユニットにおける左右方向所要間隔の２個所を、支持フレームの対応する個所に、個別の昇降用駆動機構を介して取り付けるようにした構成とすることにより、ロールユニットの下方を移動テーブル上に保持した接触対象物を移動させるときに該接触対象物に上記移動テーブルのローリングに伴うずれが生じる場合等、印刷用ロールの下方に配置される印刷対象物にロール軸方向に表面高さ位置のずれが生じていても、上記ロールユニットにおける左右方向所要間隔の２個所に個別に取り付けてある昇降用駆動機構の作動量を調整することで、上記印刷用ロールと印刷対象物との接触圧力のロール軸方向の圧力分布の偏りを解消して、ロール軸方向の圧力分布を均等化できるため、印刷パターンの幾何学的な再現性を高めることができる。  
（６）以上により、線幅を１０μｍ程度とするような精密な電子回路を、印刷位置の位置ずれを数μｍからサブμｍオーダーに抑えて印刷を行う場合のような精密な印刷を高精度で行うことが可能になる。
【図面の簡単な説明】
【００２２】
【図１】本発明の印刷装置の印刷用ロール加圧装置の実施の一形態として、オフセット印刷装置におけるブランケットロールのロール加圧に適用した例を示す概略側面図である。
【図２】図１のＡ−Ａ方向矢視図である。
【図３】図２のＢ−Ｂ方向矢視図である。
【図４】図１の印刷用ロール加圧装置を備えたオフセット印刷装置の全体構成を示す概略側面図である。
【図５】本発明の実施の他の形態を示す切断概略正面図である。
【図６】本発明の実施の更に他の形態を示すもので、（イ）はロールユニットの部分の概略側面図、（ロ）はロールユニットの部分の概略平面図である。
【図７】本発明の実施の更に他の形態を示す図６（ロ）に対応する図である。
【図８】従来提案されている平板状の版を用いたオフセット印刷装置の一例の概要を示す図である。
【発明を実施するための形態】
【００２３】
以下、本発明を実施するための形態を図面を参照して説明する。
【００２４】
図１乃至図４は本発明の印刷装置の印刷用ロール加圧装置の実施の一形態として、図４に示すオフセット印刷装置の印刷用ロールとしてのブランケットロールのロール加圧に適用する場合を示すもので、以下のようにしてある。
【００２５】
ここで、先ず、図４に示したオフセット印刷装置について概説すると、該オフセット印刷装置は、水平な架台１７の上側に、一方向に延びるガイドレール１８を、たとえば、２本一組で設ける。上記ガイドレール１８には、平板状の版１９と基板等の平板状の印刷対象２０を保持させるための移動テーブルとして、たとえば、版１９と印刷対象２０をそれぞれ個別に保持できるようにした版テーブル２１と印刷対象テーブル２２とを、ガイドレールの長手方向一端側（図４における左側より）より並べて配置して、図示しない個別の駆動装置により独立して往復動（走行）できるように取り付ける。
【００２６】
更に、上記ガイドレール１８の長手方向における上記版テーブル２１及び印刷対象テーブル２２が共に走行可能な途中位置、たとえば、上記ガイドレール１８の長手方向中間位置と対応する上記架台１７上の所要個所に、上記ガイドレール１８の長手方向と直交する水平方向に延びるブランケットロール２４を備えた本発明の印刷装置の印刷用ロール加圧装置（以下、単に本発明の印刷用ロール加圧装置と云う）２３を設け、且つ上記ガイドレール１８の長手方向における上記版テーブル２１が走行可能な別の途中位置、たとえば、上記本発明の印刷用ロール加圧装置２３の設置個所よりもガイドレール１８の長手方向一端側へ所要寸法離れた位置となる上記架台１７上の所要個所に、上記版テーブル２１に保持された版１９に対してインキングを行うためのインキング装置２５を設けた構成としてある。
【００２７】
上記構成としてあるオフセット印刷装置に適用する本発明の印刷用ロール加圧装置２３は、図１乃至図３に示す如き構成としてある。なお、以下においては、説明の便宜上、上記ガイドレール１８の長手方向を前後方向、それに直交する水平方向であるブランケットロール２４のロール軸方向を左右方向として説明する。
【００２８】
すなわち、上記架台１７上におけるガイドレール１８の長手方向中間位置と対応する個所に、上記ガイドレール１８を跨ぐように門型のフレーム２６を設ける。
【００２９】
更に、ブランケットロール２４の両端の各回転軸２４ａ，２４ｂを、左右一対のベアリングハウジング２８にベアリング２９を介してそれぞれ回転自在に保持させると共に、上記各ベアリングハウジング２８を、縦剛性の高い連結部材３０で一体に連結してロールユニット２７を構成する。
【００３０】
具体的には、上記高縦剛性の連結部材３０は、たとえば、上記左右の各ベアリングハウジング２８の前面と後面にそれぞれ沿う位置で左右方向に延び且つ上下方向に所要の高さ寸法を備えて縦方向（上下方向）の剛性が高くなるようにしてある前後一対の板状部材３１，３２の上端部同士を、上記各ベアリングハウジング２８の上面に沿う位置で左右方向に延びる上部板状部材３３を介して一体に連結してなる下端側が開放されたトラフ形状の連結部材３０とし、該連結部材３０の左右両端部における上記各板状部材３１，３２，３３の内側に、上記左右の各ベアリングハウジング２８をそれぞれ一体に取り付けるようにしてある。これにより、上記ブランケットロール２４の左右と前後と上側を、上記各ベアリングハウジング２８と上記連結部材３０の前後の板状部材３１，３２と上部板状部材３３からなる一体の箱構造体で囲ってなる構造として、縦剛性の高いロールユニット２７を構成できるようにしてある。なお、上記連結部材３０における前部と後部の各板状部材３１と３２は、上記左右のベアリングハウジング２８を取り付ける左右両端部を除く中間部の下部側を切り欠いて、上記ブランケットロール２４を版テーブル２１上に保持した版１９や印刷対象テーブル２２上に保持した印刷対象２０に接触させる際に、該版１９と版テーブル２１や印刷対象２０と印刷対象テーブル２２に干渉しないようにしてある。
【００３１】
上記ロールユニット２７は、たとえば、上記連結部材３０における前部と後部の各板状部材３１と３２の外側面における左右両端部寄りの２個所を、上記フレーム２６の対応する個所に、上下方向のリニアガイド３４を介して上下方向に移動可能に取り付けると共に、上記ブランケットロール２４の各回転軸２４ａ，２４ｂの上方位置となる上記連結部材３０における上部板状部材３３の左右両端部寄りの２個所と、該各個所の上方に位置する上記門型のフレーム２６の上部所要個所との間に、昇降用駆動機構としてのジャッキ３５と接触圧力センサとしてのロードセル３６を上下に並べてそれぞれ介装して連結する。これにより、上記各ジャッキ３５の同期した作動により、上記ロールユニット２７を、ブランケットロール２４の外周面の下端部が上記版テーブル２１上に保持された版１９や、印刷対象テーブル２２上に保持された印刷対象２０の表面の高さ位置よりも所要寸法上方に離反する退避高さ位置から、ブランケットロール２４の外周面の下端部が上記版テーブル２１上に保持された版１９や、印刷対象テーブル２２上に保持された印刷対象２０の表面の高さ位置よりも所要寸法下方に配置されるようになる所要の高さ位置までの範囲で昇降させることができるようにしてある。
【００３２】
よって、版テーブル２１上に保持された版１９や、印刷対象テーブル２２上に保持された印刷対象２０が、上記ブランケットロール２４の直下に位置している状態のときに、上記各ジャッキ３５を作動させて上記ロールユニット２７と一体にブランケットロール２４を退避高さ位置より下降させることで、上記該ブランケットロール２４の外周面の下端部を、接触対象物となる版テーブル２１上に保持された版１９や、印刷対象テーブル２２上に保持された印刷対象２０に接触させ、更にこの状態から、上記各ジャッキ３５によりロールユニット２７を下向きに付勢して、上記版１９や印刷対象に接触しているブランケットロール２４を下向きに加圧することで、該ブランケットロール２４を、上記版テーブル２１上の版１９や、印刷対象テーブル２２上の印刷対象２０に、所要の接触圧力（印圧）で押し付けて接触させることができるようにしてある。
【００３３】
更に、この際、上記版１９や印刷対象２０より上記ブランケットロール２４に対して上向きに作用する上記接触圧力の反力を、上記各ロードセル３６で検出することで、上記接触圧力を測定できるようにしてあり、更に、該各ロードセル３６により検出される接触圧力に偏りが生じている場合は、上記ブランケットロール２４の両端の回転軸２４ａに対応させて設けてある上記２つのジャッキ３５の作動量に差をつけることで、上記ブランケットロール２４の版１９や印刷対象２０に対する接触圧力のロール軸方向の圧力分布を平均させることができるようにしてある。
【００３４】
３７は上記ロールユニット２７における一方のベアリングハウジング２８の外側に取り付けた減速機、３８は該減速機３７に接続したモータ等の回転用駆動機構であり、上記減速機３７の出力側が、上記一方のベアリングハウジング２８に保持した上記ブランケットロール２４の一方の回転軸２４ａに接続してある。これにより、上記回転用駆動機構３８により減速機３７を介して上記ブランケットロール２４を転動（回転）させることができるようにしてある。
【００３５】
以上の構成としてある本発明の印刷用ロール加圧装置２３を備えたオフセット印刷装置を用いてオフセット印刷を行う場合は、先ず、版１９を保持した版テーブル２１を、インキング装置２５へ送って、上記版１９に適正量のインキングを行い、このインキングが行われた版１９を保持した版テーブル２１を、上記本発明の印刷用ロール加圧装置２３よりガイドレール１８の長手方向他端寄りに設定してある図示しない所定の印刷処理開始位置へ移動させておく。又、印刷対象テーブル２２には、印刷対象２０を保持させておく。
【００３６】
次に、上記版テーブル２１のガイドレール１８に沿う長手方向他端側から一端側への走行を開始させ、該版テーブル２１を、上記本発明の印刷用ロール加圧装置２３へ向けて所要速度で走行させる。
【００３７】
上記走行する版テーブル２１が本発明の印刷用ロール加圧装置２３へ導かれると、該本発明の印刷用ロール加圧装置２３では、上記版テーブル２１上に保持した版１９がブランケットロール２４の直下に達した時点で、回転用駆動機構３８により上記版テーブル２１の走行速度と同期する周速で転動（回転）させ且つ各ジャッキ３５の作動によりロールユニット２７と一体に下降させたブランケットロール２４を、上記版テーブル２１上の版１９に対して上方より接触させると共に、この状態から上記各ジャッキ３５を更に作動させて上記ロールユニット２７を下向きに付勢することで、上記版１９に接触しているブランケットロール２４を下向きに加圧して、該ブランケットロール２４を、上記版１９に対して所要の接触圧力（印圧）で押し付けて接触させる。これにより、上記版テーブル２１の走行に伴って上記版１９が上記ブランケットロール２４の直下位置を通過する間、該版１９に対して上記転動するブランケットロール２４が上記所要の接触圧力で接触するようになるため、インキングしてある版１９よりブランケットロール２４へのインクの転写（受理）処理が行われる。
【００３８】
この転写（受理）処理の際、上記ブランケットロール２４より版１９に対して下向きに作用させる所要の接触圧力が大きな圧力となっていても、上記ブランケットロール２４の両端の各回転軸２４ａ，２４ｂを保持した各ベアリングハウジング２８は、高縦剛性の連結部材３０で一体に連結してあるため、該各ベアリングハウジング２８にロール軸方向からの傾きが生じる虞は未然に防止される。よって、上記各ベアリングハウジング２８により両端の回転軸２４ａ，２４ｂが保持された上記ブランケットロール２４に生じる撓み変形は、無視できるレベルまで小さく抑制されるようになることから、上記版１９よりブランケットロール２４へ転写（受理）される印刷パターンの形、大きさ、位置等の幾何学的な再現性が、上記ブランケットロール２４の撓み変形の影響を受けて低下する虞が解消される。
【００３９】
又、上記転写（受理）処理の際、上記ガイドレール１８の製作精度等に起因して、上記版１９を保持した版テーブル２１が上記ブランケットロール２４の下方を通過するときに、該版テーブル２１にローリングが生じる場合は、そのローリングの量を予め計測しておくか、又は、図示しないレーザ変位計等の変位センサでリアルタイムに計測し、その計測結果に応じて、ブランケットロール２４の両端の各回転軸２４ａ，２４ｂの上方位置に対応させて設けてある各ジャッキ３５の作動量を補正することで、上記版テーブル２１にローリングが生じているとしても、該版テーブル２１上に保持した版１９に対して上記ブランケットロール２４を所要の接触圧力で接触させるときに、ロール軸方向の圧力分布が均等になるようにさせればよい。もしくは、上記各ジャッキ３５の下方に設けてある各ロードセル３６で検出される圧力値が均等になるように、各ジャッキ３５の作動量を補正するようにしてもよい。これにより、上記ブランケットロール２４の版１９に対する接触圧力のロール軸方向の圧力分布の偏りが抑制されるため、上記版１９よりブランケットロール２４へ転写（受理）される印刷パターンの幾何学的な再現性が、上記接触圧力のロール軸方向の圧力分布の偏りの影響を受けて悪化する虞が解消される。
【００４０】
上記のようにして版１９からブランケットロール２４への転写（受理）処理が終了した後は、上記ブランケットロール２４を、ロールユニット２７と共に一旦退避高さ位置まで戻した後、上記印刷対象２０を保持した印刷対象テーブル２２について、上記版テーブル２１と同様に、ガイドレール１８に沿う長手方向他端側から一端側への走行を開始させて、該印刷対象テーブル２２を、上記版テーブル２１と同じ方向から上記本発明の印刷用ロール加圧装置２３へ向けて所要速度で走行させる。
【００４１】
上記走行する印刷対象テーブル２２が本発明の印刷用ロール加圧装置２３へ導かれると、該本発明の印刷用ロール加圧装置２３では、上記印刷対象テーブル２２上に保持した印刷対象２０がブランケットロール２４の直下に達した時点で、回転用駆動機構３８により上記印刷対象テーブル２２の走行速度と同期する周速で転動（回転）させ且つ各ジャッキ３５の作動によりロールユニット２７と一体に下降させるブランケットロール２４を、上記印刷対象テーブル２２上の印刷対象２０に対して上方より接触させると共に、この状態から上記各ジャッキ３５を更に作動させて上記ロールユニット２７を下向きに付勢することで、上記印刷対象２０に接触しているブランケットロール２４を下向きに加圧して、該ブランケットロール２４を、上記印刷対象２０に対して所要の接触圧力（印圧）で押し付けて接触させる。これにより、上記印刷対象テーブル２２の走行に伴って上記印刷対象２０が上記ブランケットロール２４の直下位置を通過する間、該印刷対象２０に対して上記転動するブランケットロール２４が上記所要の接触圧力で接触するようになるため、上記ブランケットロール２４より印刷対象２０へのインクの再転写（印刷）処理が行われて、該印刷対象２０に対するオフセット印刷が行われるようになる。
【００４２】
この再転写（印刷）処理の際、上記ブランケットロール２４より印刷対象２０に対して下向きに作用させる所要の接触圧力が大きな圧力となっていても、上記転写（受理）処理の場合と同様に、上記高縦剛性の連結部材３０で一体に連結してある各ベアリングハウジング２８にロール軸方向からの傾きが生じる虞は未然に防止されるため、上記ブランケットロール２４に生じる撓み変形は、無視できるレベルまで小さく抑制されるようになる。よって、上記ブランケットロール２４より印刷対象２０へ再転写（印刷）される印刷パターンの形、大きさ、位置等の幾何学的な再現性が、上記ブランケットロール２４の撓み変形の影響を受けて低下する虞が解消される。
【００４３】
又、上記再転写（印刷）処理の際、上記ガイドレール１８の製作精度等に起因して、上記印刷対象２０を保持した印刷対象テーブル２２が上記ブランケットロール２４の下方を通過するときに、該印刷対象テーブル２２にローリングが生じるとしても、上記版テーブル２１のローリングへの対応と同様に、各ジャッキ３５の作動量を補正することで、該印刷対象テーブル２２上に保持した印刷対象２０に対して上記ブランケットロール２４を所要の接触圧力で接触させるときに、ロール軸方向の圧力分布が均等になるようにさせるか、もしくは、上記各ロードセル３６で検出される圧力値が均等になるように、各ジャッキ３５の作動量を補正するようにすれば、上記ブランケットロール２４の印刷対象２０に対する接触圧力のロール軸方向の圧力分布の偏りが抑制されるため、上記ブランケットロール２４より印刷対象２０へ再転写（印刷）される印刷パターンの幾何学的な再現性が、上記接触圧力のロール軸方向の圧力分布の偏りの影響を受けて悪化する虞が解消される。
【００４４】
このように、本発明の印刷用ロール加圧装置によれば、上記ブランケットロール２４を、版テーブル２１上の版１９や印刷対象テーブル２２上の印刷対象２０に接触させる際に、大きな接触圧力（印圧）を作用させる場合であっても、上記ブランケットロール２４の撓み変形を抑制することができるため、上記版１９からブランケットロール２４を介して印刷対象２０へ印刷する印刷パターンの幾何学的な再現性を高めることができる。
【００４５】
又、上記ブランケットロール２４を、版テーブル２１上の版１９や印刷対象テーブル２２上の印刷対象２０に接触させる際に、該各テーブル２１，２２にローリングが生じていいても、上記ブランケットロール２４より版１９や印刷対象２０に作用させる接触圧力のロール軸方向の圧力分布の偏りを防いで、ロール軸方向の圧力分布を均等化させることができるため、このことによっても、版１９からブランケットロール２４を介して印刷対象２０へ印刷する印刷パターンの幾何学的な再現性を高めることができる。
【００４６】
以上により、印刷精度を高めることができて、従来に比して高精度な印刷を行なうことが可能になることから、線幅を１０μｍ程度とするような精密な電子回路を、印刷位置の位置ずれを数μｍからサブμｍオーダーに抑えて印刷を行う場合のような精密な印刷を高精度で行うことが可能になる。
【００４７】
次に、図５は本発明の実施の他の形態として、図１乃至図４の実施の形態の応用例を示すもので、図１乃至図４に示したと同様の構成において、ロールユニット２７におけるブランケットロール２４のロール軸方向所要個所、たとえば、ロール軸方向所要間隔の３個所の上側に、該ブランケットロール２４の外周面の上端部に接する小径のバックアップロール３９を配置して、該各バックアップロール３９を、左右のベアリングハウジング２８を一体に連結する高縦剛性の連結部材３０における上部板状部材３３の下面側の対応する個所に、ブラケット４０を介してそれぞれ回転自在に取り付けた構成としたものである。
【００４８】
なお、本実施の形態におけるブランケットロール２４は、外周面における周方向の１／４〜１／３程度の領域のみに図示しないブランケットを設けてなる形式とすると共に、回転用駆動機構３８により、該ブランケットロール２４の上側に設けてある上記各バックアップロール３９に上記図示しないブランケットが接触しない角度範囲で反転させるようにしてあるものとする
その他の構成は図１乃至図４に示したものと同様であり、同一のものには同一の符号が付してある。
【００４９】
本実施の形態によれば、上記ロールユニット２７のブランケットロール２４を、版テーブル２１上に保持した版１９や印刷対象テーブル２２上に保持した印刷対象２０（図２、図４参照）に対して所要の接触圧力で接触させる際に、ブランケットロール２４に対して上記版１９や印刷対象２０より上向きに作用する上記接触圧力の反力の一部を、該ブランケットロール２４自体より上記各バックアップロール３９を介して上記ロールユニット２７の連結部材３０の上部板状部材３３へ伝えて受けさせることができるため、ブランケットロール２４を大きな接触圧力で上記版１９や印刷対象２０（図２、図４参照）に接触させる際に、該ブランケットロール２４の撓み変形を更に抑制する効果が期待できる。
【００５０】
したがって、版１９からブランケットロール２４を介して印刷対象２０へ印刷する印刷パターンの幾何学的な再現性を高めて、印刷精度を更に高める効果が期待できる。
【００５１】
次いで、図６は本発明の実施の更に他の形態を示すもので、図１乃至図４と同様の構成において、ロールユニット２７を、ブランケットロール２４の両端の回転軸２４ａ，２４ｂを回転自在に保持する左右のベアリングハウジング２８を、前部板状部材３１と後部板状部材３２と上部板状部材３３からなる下端側が開放されたトラフ形状の高縦剛性の連結部材３０で一体に連結してなる構成に代えて、ブランケットロール２４の両端の回転軸２４ａ，２４ｂを回転自在に保持する左右のベアリングハウジング２８を、各ベアリングハウジング２８の前面と後面にそれぞれ沿う位置で左右方向に延び且つ上下方向に所要の高さ寸法を備えて縦方向（上下方向）の剛性が高くなるようにしてある前後一対の板状の連結部材４１ａ，４１ｂで一体に連結して、上記ブランケットロール２４の左右と前後を、上記各ベアリングハウジング２８と上記各連結部材４１ａ，４１ｂからなる平面形状略ロの字形の一体の構造体で囲ってなる構造とすることで縦剛性を高めたロールユニット２７ａを構成したものである。
【００５２】
なお、本実施の形態では、ブランケットロール２４の各回転軸２４ａ，２４ｂの上方位置に設ける昇降用駆動機構としての各ジャッキ３５は、上記左右の各ベアリングハウジング２８の上面側に直接取り付けるようにしてあるものとする。
【００５３】
その他の構成は図１乃至図４に示したものと同様であり、同一のものには同一の符号が付してある。
【００５４】
本実施の形態によっても、ブランケットロール２４の回転軸２４ａ，２４ｂを保持する左右のベアリングハウジング２８を、高縦剛性の連結部材４１ａ，４１ｂで一体に連結してロールユニット２７ａが構成してあることに基づいて、上記ブランケットロール２４を、版テーブル２１上の版１９（図２、図４参照）に所要の接触圧力（印圧）で接触させて転写（受理）処理を行う際や、印刷対象テーブル２２上の印刷対象２０（図２、図４参照）に所要の接触圧力（印圧）で接触させて再転写（印刷）処理を行う際に、上記接触圧力を大きな圧力として作用させても、上記ブランケットロール２４の撓み変形を抑制することができるため、上記図１乃至図４の実施の形態と同様の効果を得ることができる。
【００５５】
図７は本発明の実施の更に他の形態を示すもので、図１乃至図４と同様の構成において、ロールユニット２７を、ブランケットロール２４の両端の回転軸２４ａ，２４ｂを回転自在に保持する左右のベアリングハウジング２８を、前部板状部材３１と後部板状部材３２と上部板状部材３３からなる下端側が開放されたトラフ形状の高縦剛性の連結部材３０で一体に連結してなる構成に代えて、ブランケットロール２４の両端の回転軸２４ａ，２４ｂを回転自在に保持する左右のベアリングハウジング２８を、各ベアリングハウジング２８の前後方向の片側の面に沿う位置で左右方向に延び且つ上下方向に所要の高さ寸法を備えて縦方向（上下方向）の剛性が高くなるようにしてある板状の連結部材４２で一体に連結して、上記ブランケットロール２４の左右と前後方向の片側を、上記各ベアリングハウジング２８と上記連結部材４２からなる平面形状門形の一体の構造体で囲ってなる構造とすることで縦剛性を高めたロールユニット２７ｂを構成したものである。
【００５６】
本実施の形態では、ブランケットロール２４の各回転軸２４ａ，２４ｂの上方位置に設ける昇降用駆動機構としての各ジャッキ３５は、上記左右の各ベアリングハウジング２８の上面側に直接取り付けてあるものとする。
【００５７】
その他の構成は図１乃至図４に示したものと同様であり、同一のものには同一の符号が付してある。
【００５８】
本実施の形態によっても、ブランケットロール２４の回転軸２４ａ，２４ｂを保持する左右のベアリングハウジング２８を、高縦剛性の連結部材４２で一体に連結してロールユニット２７ｂが構成してあることに基づいて、上記ブランケットロール２４を、版テーブル２１上の版１９（図２、図４参照）に所要の接触圧力（印圧）で接触させて転写（受理）処理を行う際や、印刷対象テーブル２２上の印刷対象２０（図２、図４参照）に所要の接触圧力（印圧）で接触させて再転写（印刷）処理を行う際に、上記接触圧力を大きな圧力として作用させても、上記ブランケットロール２４の撓み変形を抑制することができるため、上記図１乃至図４の実施の形態と同様の効果を得ることができる。
【００５９】
なお、本発明は上記実施の形態のみに限定されるものではなく、ロールユニット２７における左右のベアリングハウジング２８を一体に連結するための連結部材は、ブランケットロール２４と版１９や印刷対象２０との間に作用させる接触圧力の大きさに応じて、該接触圧力が作用しても上記各ベアリングハウジング２８のロール軸方向からの傾きを防止してブランケットロール２４の撓み変形を無視できるレベルまで抑制することができるような高い縦方向の剛性を備えていれば、上下左右前後の各サイズを、図示した以外の任意のサイズに変更してもよく、又、いかなる形状としてもよい。更には、たとえば、複合構造等のいかなる形式の連結部材を採用してもよい。
【００６０】
ロールユニット２７と一体にブランケットロール２４を所定の高さ範囲で昇降駆動することができれば、昇降用駆動機構は、ボールねじ機構等、ジャッキ３５以外のいかなる形式の昇降用駆動機構を用いるようにしてもよい。又、ロールユニット２７に対する昇降用駆動機構の取付位置、取付構造は、ロールユニット２７における左右のベアリングハウジングを一体に連結する連結部材の形状や配置、及び、該昇降用駆動機構の形式に応じて適宜変更してもよい。更に、昇降用駆動機構は、ブランケットロール２４を版１９や印刷対象２０に所要の接触圧力（印圧）で接触させる際に該接触圧力のロール軸方向の圧力分布を均等化できるようにするという観点からすると、ロールユニット２７におけるブランケットロール２４のロール軸方向となる左右方向の所要間隔を隔てた２個所に、個別の昇降用駆動機構を取り付けることが部材点数を減らすことができて好ましいが、ロールユニット２７の左右方向所要間隔の３個所以上の個所に昇降用駆動機構を取り付けるようにしてもよい。更には、昇降用駆動機構により上記接触圧力のロール軸方向の圧力分布の均等化を行う必要がない場合は、１つの昇降用駆動機構を、ロールユニット２７の左右方向中央部の１個所に取り付ける構成としてもよい。
【００６１】
本発明の印刷装置の印刷用ロール加圧装置は、ブランケットロール２４をその下方を移動させる版１９や印刷対象２０に所要の接触圧力で接触させて印刷処理を行うようにしてあるオフセット印刷装置であれば、いかなる形式のオフセット印刷装置に適用してもよい。
【００６２】
更に、本発明の印刷装置の印刷用ロール加圧装置は、ブランケットロール２４のみならず、版胴や圧胴等の印刷用ロールを、その下方に配置された接触対象物に、所要の接触圧力を作用させた状態で印刷処理を行うようにしてある印刷装置であれば、オフセット印刷装置以外のいかなる形式の印刷装置に適用してもよい。
【００６３】
その他本発明の要旨を逸脱しない範囲内で種々変更を加え得ることは勿論である。
【符号の説明】
【００６４】
１９  版（接触対象物）
２０  印刷対象（接触対象物）
２４  ブランケットロール（印刷用ロール）
２４ａ，２４ｂ  回転軸
２６  フレーム（支持フレーム）
２７，２７ａ，２７ｂ  ロールユニット
２８  ベアリングハウジング
３０  連結部材
３５  昇降用駆動機構（ジャッキ）
４１ａ，４１ｂ  連結部材
４２  連結部材
【図１】
2011056723.tif 000003
【図２】
2011056723.tif 000004
【図３】
2011056723.tif 000005
【図４】
2011056723.tif 000006
【図５】
2011056723.tif 000007
【図６】
2011056723.tif 000008
【図７】
2011056723.tif 000009
【図８】
2011056723.tif 000010